(57)【要約】【課題】下り制御チャネルを拡張した構成において、拡張した制御チャネル用の無線リソースの割当てを適切に行うこと。【解決手段】本発明の無線基地局装置は、ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするマッピング部と、前記共通サーチスペース内に前記共通制御情報が配置されるとともに前記固有サーチスペース内に前記固有制御情報が配置される拡張下り制御チャネルを、下り共有データチャネルと周波数分割多重して送信する送信部と、を具備し、前記マッピング部は、前記共通サーチスペースが前記システム帯域内に分散されるように、前記共通サーチスペースを複数の周波数領域単位にマッピングすることを特徴とする。【選択図】図５
2013157822.tif 000002
【特許請求の範囲】
【請求項１】
ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするマッピング部と、
前記共通サーチスペース内に前記共通制御情報が配置されるとともに前記固有サーチスペース内に前記固有制御情報が配置される拡張下り制御チャネルを、下り共有データチャネルと周波数分割多重して送信する送信部と、を具備し、
前記マッピング部は、前記共通サーチスペースが前記システム帯域内に分散されるように、前記共通サーチスペースを複数の周波数領域単位にマッピングすることを特徴とする無線基地局装置。
【請求項２】
前記マッピング部は、前記固有サーチスペースが前記システム帯域に分散されるようにマッピングし、前期固有制御情報を局所化された周波数領域単位にマッピングすること又は分散された周波数領域単位にマッピングすることを特徴とする請求項１に記載の無線基地局装置。
【請求項３】
前記マッピング部は、前記複数の周波数領域単位の各々を前記拡張下り制御チャネルに対する割り当て単位である拡張制御チャネル要素を複数個含むように構成するとともに、前記拡張制御チャネル要素を分割し、分割された拡張制御チャネル同士を前記複数の周波数領域単位の異なる周波数領域単位に分散して配置することを特徴とする請求項１又は請求項２に記載の無線基地局装置。
【請求項４】
前記複数の周波数領域単位に含まれる各拡張制御チャネル要素には周波数方向に沿って順番にインデックス番号が付され、前記分割された拡張制御チャネル要素同士には同じインデックス番号が付され、
前記マッピング部は、同じインデックス番号が付された拡張制御チャネル同士を周波数方向に並んだ異なる仮想周波数領域単位に配置した後、前記複数の仮想周波数領域単位をインタリーブすることを特徴とする請求項３に記載の無線基地局装置。
【請求項５】
前記無線基地局装置は、相対的に大きいカバレッジエリアを有する大型基地局装置と、前記大型基地局装置のカバレッジエリア内に配置され、局所的なカバレッジエリアを有する小型基地局装置と、を含み、
前記共通サーチスペースがマッピングされた前記複数の周波数領域単位は、前記大型基地局装置と前記小型基地局装置とで共通に割り当てられ、
前記複数の周波数領域単位に含まれる拡張制御チャネル要素は、前記大型基地局装置と前記小型基地局装置とで別々に割り当てられることを特徴とする請求項４に記載の無線基地局装置。
【請求項６】
前記大型基地局装置に対しては、所定の周波数方向から連続するインデックス番号が付された複数の拡張制御チャネル要素が割り当てられ、前記小型基地局装置に対しては、残りの連続するインデックス番号が付された複数の拡張制御チャネル要素が割り当てられることを特徴とする請求項５に記載の無線基地局装置。
【請求項７】
前記無線基地局装置は、相対的に大きいカバレッジエリアを有する大型基地局装置と、前記大型基地局装置のカバレッジエリア内に配置され、局所的なカバレッジエリアを有する小型基地局装置と、を含み、
前記共通サーチスペースがマッピングされた前記複数の周波数領域単位は、前記大型基地局装置と前記小型基地局装置とで別々に割り当てられることを特徴とする請求項４に記載の無線基地局装置。
【請求項８】
前記共通サーチスペースがマッピングされた前記複数の周波数領域単位は、上位レイヤシグナリングを用いて前記ユーザ端末にシグナリングされることを特徴とする請求項１から請求項７のいずれかに記載の無線基地局装置。
【請求項９】
前記共通サーチスペースがマッピングされた前記複数の周波数領域単位は、報知情報として、報知されることを特徴とする請求項１から請求項７のいずれかに記載の無線基地局装置。
【請求項１０】
前記所定の周波数領域単位は、物理リソースブロックであることを特徴とする請求項１から請求項９のいずれかに記載の無線基地局装置。
【請求項１１】
前記所定の周波数領域単位は、周波数方向に連続する複数の物理リソースブロックからなるリソースブロックグループであることを特徴とする請求項１から請求項９のいずれかに記載の無線基地局装置。
【請求項１２】
下り共有データチャネルと周波数分割多重されており、ユーザ端末間で共通の共通制御情報が共通サーチスペース内に配置されるとともに各ユーザ端末に固有の固有制御情報が固有サーチスペース内に配置される拡張下り制御チャネルを受信する受信部と、
前記共通サーチスペース内に配置される前記共通制御情報をブラインドデコーディングするとともに、前記固有サーチスペース内に配置される前記固有制御情報をブラインドデコーディングする復号部と、を具備し、
前記共通サーチスペースと前記固有サーチスペースとはシステム帯域を構成する所定の周波数領域単位で分離されており、
前記共通サーチスペースは、前記システム帯域内に分散されるように、複数の周波数領域単位にマッピングされていることを特徴とするユーザ端末。
【請求項１３】
ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするマッピング部と、
前記共通サーチスペース内に前記共通制御情報が配置されるとともに前記固有サーチスペース内に前記固有制御情報が配置される拡張下り制御チャネルを、下り共有データチャネルと周波数分割多重して送信する送信部と、を備えた無線基地局装置と、
前記拡張下り制御チャネルを受信する受信部と、
前記共通サーチスペース内に配置される前記共通制御情報をブラインドデコーディングするとともに、前記固有サーチスペース内に配置される前記固有制御情報をブラインドデコーディングする復号部と、を備えたユーザ端末と、を具備し、
前記マッピング部は、前記共通サーチスペースが前記システム帯域内に分散されるように、前記共通サーチスペースを複数の周波数領域単位にマッピングすることを特徴とする無線通信システム。
【請求項１４】
無線基地局装置が下り共有データチャネルと周波数分割多重された拡張下り制御チャネルをユーザ端末に送信する無線通信方法であって、
前記無線基地局装置が、ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするステップと、
前記無線基地局装置が、前記共通サーチスペース内に前記共通制御情報が配置されるとともに前記固有サーチスペース内に前記固有制御情報が配置される拡張下り制御チャネルを、下り共有データチャネルと周波数分割多重して送信するステップと、
前記ユーザ端末が、前記拡張下り制御チャネルを受信するステップと、
前記ユーザ端末が、前記共通サーチスペース内に配置される前記共通制御情報をブラインドデコーディングするとともに前記固有サーチスペース内に配置される前記固有制御情報をブラインドデコーディングするステップと、を有し、
前記無線基地局装置は、前記共通サーチスペースが前記システム帯域内に分散されるように、前記共通サーチスペースを不連続の複数の周波数領域単位にマッピングすることを特徴とする無線通信方法。
【発明の詳細な説明】
【技術分野】
【０００１】
本発明は、次世代無線通信システムにおける無線基地局装置、ユーザ端末、無線通信システム及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という）も検討されている。ＬＴＥ（Rel.8）やＬＴＥ−Ａ（Rel.9、Rel.10）においては、複数のアンテナでデータを送受信し、周波数利用効率を向上させる無線通信技術としてＭＩＭＯ（Multi  Input  Multi  Output）技術が検討されている。ＭＩＭＯ技術においては、送受信機に複数の送信／受信アンテナを用意し、異なる送信アンテナから同時に異なる送信情報系列を送信する。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
ところで、ＬＴＥの後継システムとなるＬＴＥ−Ａでは、異なる送信アンテナから同時に異なるユーザに送信情報系列を送信するマルチユーザＭＩＭＯ（ＭＵ−ＭＩＭＯ：Multiple  User  MIMO）伝送が規定されている。このＭＵ−ＭＩＭＯ伝送は、Ｈｅｔｎｅｔ（Heterogeneous  network）やＣｏＭＰ（Coordinated  Multi-Point）伝送にも適用されることが検討されている。
【０００６】
将来のシステムでは、無線基地局装置に接続されるユーザ数が増加することにより、下り制御信号を送信する下り制御チャネルの容量が不足することが想定される。このため、従来の無線リソースの割当て方法ではＭＵ−ＭＩＭＯ伝送等の将来のシステムの特性を十分に発揮できないおそれがある。
【０００７】
このような問題を解決する決法として、下り制御チャネルを割当てる領域を拡張して、より多くの下り制御信号を送信する方法が考えられる。下り制御チャネルを拡張する場合、拡張した下り制御チャネル用の無線リソースをどのように割り当てるか重要な問題となる。また、無線基地局装置のカバレッジエリア内に小型基地局装置が重畳的に配置されるＨｅｔＮｅｔでは、無線基地局装置と小型基地局装置との間での干渉の影響を考慮して、拡張した下り制御チャネル用の無線リソースを割り当てることが重要である。
【０００８】
本発明はかかる点に鑑みてなされたものであり、拡張した下り制御チャネル用の無線リソースを適切に割り当てることができる無線基地局装置、ユーザ端末、無線通信システム及び無線通信方法を提供することを目的とする。
【課題を解決するための手段】
【０００９】
本発明の無線基地局装置は、ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするマッピング部と、前記共通サーチスペース内に前記共通制御情報が配置されるとともに前記固有サーチスペース内に前記固有制御情報が配置される拡張下り制御チャネルを、下り共有データチャネルと周波数分割多重して送信する送信部と、を具備し、前記マッピング部は、前記共通サーチスペースが前記システム帯域内に分散されるように、前記共通サーチスペースを複数の周波数領域単位にマッピングすることを特徴とする。
【００１０】
本発明のユーザ端末は、下り共有データチャネルと周波数分割多重されており、ユーザ端末間で共通の共通制御情報が共通サーチスペース内に配置されるとともに各ユーザ端末に固有の固有制御情報が固有サーチスペース内に配置される拡張下り制御チャネルを受信する受信部と、前記共通サーチスペース内に配置される前記共通制御情報をブラインドデコーディングするとともに、前記固有サーチスペース内に配置される前記固有制御情報をブラインドデコーディングする復号部と、を具備し、前記共通サーチスペースと前記固有サーチスペースとはシステム帯域を構成する所定の周波数領域単位で分離されており、前記共通サーチスペースは、前記システム帯域内に分散されるように、複数の周波数領域単位にマッピングされていることを特徴とする。
【００１１】
本発明の無線通信システムは、ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするマッピング部と、前記共通サーチスペース内に前記共通制御情報が配置されるとともに前記固有サーチスペース内に前記固有制御情報が配置される拡張下り制御チャネルを、下り共有データチャネルと周波数分割多重して送信する送信部と、を備えた無線基地局装置と、前記拡張下り制御チャネルを受信する受信部と、前記共通サーチスペース内に配置される前記共通制御情報をブラインドデコーディングするとともに、前記固有サーチスペース内に配置される前記固有制御情報をブラインドデコーディングする復号部と、を備えたユーザ端末と、を具備し、前記マッピング部は、前記共通サーチスペースが前記システム帯域内に分散されるように、前記共通サーチスペースを複数の周波数領域単位にマッピングすることを特徴とする。
【００１２】
本発明の無線通信方法は、無線基地局装置が下り共有データチャネルと周波数分割多重された拡張下り制御チャネルをユーザ端末に送信する無線通信方法であって、前記無線基地局装置が、ユーザ端末間で共通の共通制御情報が配置される候補領域である共通サーチスペースと各ユーザ端末に固有の固有制御情報が配置される候補領域である固有サーチスペースとを、システム帯域を構成する所定の周波数領域単位で分離してマッピングするステップと、前記無線基地局装置が、前記共通サーチスペース内に前記共通制御情報が配置されるとともに前記固有サーチスペース内に前記固有制御情報が配置される拡張下り制御チャネルを、下り共有データチャネルと周波数分割多重して送信するステップと、前記ユーザ端末が、前記拡張下り制御チャネルを受信するステップと、前記ユーザ端末が、前記共通サーチスペース内に配置される前記共通制御情報をブラインドデコーディングするとともに前記固有サーチスペース内に配置される前記固有制御情報をブラインドデコーディングするステップと、を有し、前記無線基地局装置は、前記共通サーチスペースが前記システム帯域内に分散されるように、前記共通サーチスペースを不連続の複数の周波数領域単位にマッピングすることを特徴とする。
【発明の効果】
【００１３】
本発明によれば、下り制御チャネルを拡張した構成において、拡張した下り制御チャネル用の無線リソースを適切に割り当てることができる。
【図面の簡単な説明】
【００１４】
【図１】ＭＵ−ＭＩＭＯが適用されるＨｅｔｎｅｔの概略図である。
【図２】下りリンクのＭＵ−ＭＩＭＯ伝送が行われるサブフレームの一例を示す図である。
【図３】拡張ＰＤＣＣＨのサブフレーム構成の説明図である。
【図４】システム帯域に対する拡張ＰＤＣＣＨの割当ての一例を示す図である。
【図５】拡張ＰＤＣＣＨの共通サーチスペース及びＵＥ固有サーチスペースの割当ての一例を示す図である。
【図６】拡張ＰＤＣＣＨの共通サーチスペース対する拡張用チャネル制御要素（ｅＣＣＥ）の関係を示す図である。
【図７】第１の態様に係る拡張ＰＤＣＣＨの共通サーチスペースの分散マッピング方法の一例を示す図である。
【図８】第２の態様に係る拡張ＰＤＣＣＨの共通サーチスペースの分散マッピング方法を説明するための図である。
【図９】第２の態様に係る拡張ＰＤＣＣＨの共通サーチスペースの分散マッピング方法の一例を示す図である。
【図１０】第２の態様に係る拡張ＰＤＣＣＨの共通サーチスペースの分散マッピング方法の一例を示す図である。
【図１１】第２の態様に係る拡張ＰＤＣＣＨの共通サーチスペースの分散マッピング方法の他の例を示す図である。
【図１２】第２の態様に係る拡張ＰＤＣＣＨの共通サーチスペースの分散マッピング方法の他の例を示す図である。
【図１３】実施の形態に係る無線通信システムのシステム構成の説明図である。
【図１４】実施の形態に係る無線基地局装置の全体構成の説明図である。
【図１５】実施の形態に係るユーザ端末の全体構成の説明図である。
【図１６】実施の形態に係る無線基地局装置のベースバンド処理部及び一部の上位レイヤを示す機能ブロック図である。
【図１７】実施の形態に係るユーザ端末のベースバンド処理部の機能ブロック図である。
【発明を実施するための形態】
【００１５】
図１は、ＭＵ−ＭＩＭＯ伝送が適用されるＨｅｔｎｅｔの一例を示す図である。図１に示すシステムは、無線基地局装置（例えば、ｅＮＢ：eNodeB）のカバレッジエリア内に局所的なカバレッジエリアを有する小型基地局装置（例えば、ＲＲＨ：Remote  Radio  Head）が設けられ、階層的に構成されている。このようなシステムにおける下りリンクのＭＵ−ＭＩＭＯ伝送では、無線基地局装置の複数のアンテナから複数のユーザ端末ＵＥ（User  Equipment）＃１及び＃２に対するデータが同時に送信される。また、複数の小型基地局装置の複数のアンテナから複数のユーザ端末ＵＥ＃３、＃４に対するデータも同時に送信される。
【００１６】
図２は、下りリンクのＭＵ−ＭＩＭＯ伝送が適用される無線フレーム（例えば、１サブフレーム）の一例を示す図である。図２に示すように、ＭＵ−ＭＩＭＯ伝送が適用されるシステムでは、各サブフレームにおいて先頭から所定のＯＦＤＭシンボル（１〜３ＯＦＤＭシンボル）まで、下り制御チャネル（ＰＤＣＣＨ：Physical  Downlink  Control  Channel）用のリソース領域（ＰＤＣＣＨ領域）として確保される。また、サブフレームの先頭から所定のシンボルより後の無線リソースに、下り共有データチャネル（ＰＤＳＣＨ：Physical  Downlink  Shared  Channel）用のリソース領域（ＰＤＳＣＨ領域）が確保される。
【００１７】
ＰＤＣＣＨ領域には、ユーザ端末ＵＥ（ここでは、ＵＥ＃１〜＃４）に対する下り制御情報（ＤＣＩ：Downlink  Control  Information）が割当てられる。下り制御情報（ＤＣＩ）には、ＰＤＳＣＨ領域における割当て情報が含まれる。このように、各サブフレームにおいて、ユーザ端末ＵＥに対する下りデータ用の信号と、当該下りデータを受信するための下り制御情報（ＤＣＩ）用の信号とは時分割多重されて送信される。
【００１８】
ＭＵ−ＭＩＭＯ伝送においては、同一時間及び同一周波数で複数のユーザ端末ＵＥに対するデータ送信が可能となる。このため、図２のＰＤＳＣＨ領域において、ユーザ端末ＵＥ＃１に対するデータとユーザ端末ＵＥ＃５に対するデータを同一の周波数領域に多重することが考えられる。同様に、ユーザ端末ＵＥ＃４に対するデータとユーザ端末ＵＥ＃６に対するデータを同一の周波数領域に多重することも考えられる。
【００１９】
しかしながら、多くのユーザ端末ＵＥの下り制御情報をＰＤＣＣＨ領域に割当てる場合、図２に示すように、ユーザ端末ＵＥ＃５及び＃６に対応する下り制御情報を伝送するためのＰＤＣＣＨ領域が足りなくなる場合がある。この場合には、ＰＤＳＣＨ領域に多重できるユーザ端末ＵＥの数が制限されてしまう。
【００２０】
このように、ＭＵ−ＭＩＭＯ伝送により同一の無線リソースに多重されるユーザ端末数を増加させても、下り制御情報を伝送するためのＰＤＣＣＨ領域が不足する場合には、ＰＤＳＣＨ領域の利用効率を十分に図れないおそれがある。
【００２１】
このようなＰＤＣＣＨ領域の不足を解決する方法として、サブフレームの先頭から最大３ＯＦＤＭシンボルの制御領域以外にＰＤＣＣＨの割当て領域を拡張する（既存のＰＤＳＣＨ領域にＰＤＣＣＨ領域を拡張する）ことが考えられる。例えば、ＰＤＳＣＨ領域においてＰＤＳＣＨとＰＤＣＣＨとを周波数分割多重する方法（周波数分割（ＦＤＭ）アプローチ）が考えられる。このようなＰＤＳＣＨと周波数分割多重されるＰＤＣＣＨは、既存のＰＤＣＣＨと区別するために、拡張ＰＤＣＣＨ（拡張下り制御チャネル、Ｅ−ＰＤＣＣＨ、Enhanced  ＰＤＣＣＨ、ＦＤＭ型ＰＤＣＣＨ、ＵＥ−ＰＤＣＣＨ等とも呼ぶ）と呼ばれる。
【００２２】
周波数分割アプローチを適用する場合、ユーザ固有の参照信号（ＤＭ−ＲＳ：DeModulation-Reference  Signal）を用いて拡張ＰＤＣＣＨの復調を行うことでビームフォーミングゲインを得ることが可能となる。この場合、ユーザ端末ＵＥに対して個別にビームフォーミングが可能となることによって十分な受信品質が得られるため、容量の増大に有効となると考えられる。
【００２３】
ところで、拡張ＰＤＣＣＨのフォーマットとしては、既存のＰＤＣＣＨと同様に各ユーザの下り制御信号を複数のリソース要素グループ（ＲＥＧ）からなる制御チャネル要素（ＣＣＥ）単位で割当てる方法（with  cross  interleaving）と、各ユーザの下り制御信号をＰＲＢ単位で割当てる方法（without  cross  interleaving）のいずれかが適用できる。
【００２４】
without  cross  interleavingでは、拡張ＰＤＣＣＨに対して、各ユーザの下りリンク制御信号がＶＲＢ単位で割当てられる。また、拡張ＰＤＣＣＨが配置される可能性のある無線リソースにはユーザ個別の下り参照信号であるＤＭ−ＲＳが配置される。このため、拡張ＰＤＣＣＨの復調をＤＭ−ＲＳを用いて行うことができる。この場合、ＰＲＢ単位でのチャネル推定が可能であり、各移動端末装置ＵＥに対して効果的にビームフォーミングを形成できる。
【００２５】
図３に、周波数分割アプローチを適用する場合のフレーム構成の一例を示す。図３Ａに示すフレーム構成では、既存のＰＤＣＣＨと拡張ＰＤＣＣＨが配置されている。送信時間間隔となるフレーム（以下、「サブフレーム」と記す）の先頭から所定のＯＦＤＭシンボル（最大３ＯＦＤＭシンボル）まではシステム帯域全体にわたり既存のＰＤＣＣＨが配置される。既存のＰＤＣＣＨが配置されたＯＦＤＭシンボルより後の無線リソースに、拡張ＰＤＣＣＨがＰＤＳＣＨと周波数分割して配置されている。
【００２６】
また、図３Ｂに示すように、システム帯域は所定の周波数領域単位で構成される。この所定の周波数領域単位としては、例えば、物理リソースブロック（ＰＲＢ）（単に、リソースブロック（ＲＢ）ともいう）や、複数の連続する物理リソースブロックからなるリソースブロックグループ（ＲＢＧ）などがある。図３Ｂでは、所定の周波数領域単位としてリソースブロックが用いられており、システム帯域の一部のリソースブロックが拡張ＰＤＣＣＨに割り当てられる。なお、リソースブロックは、スケジューリングの一単位でもある。
【００２７】
また、Ｒｅｌ．１１以降のフレーム構成として、サブフレームにおいて先頭から所定のＯＦＤＭシンボル（最大３ＯＦＤＭシンボル）までのＰＤＣＣＨ領域を持たないキャリアタイプ（Extension  carrier）が検討されている。このExtension  carrierタイプが適用されるサブフレームでは、既存ＰＤＣＣＨを割当てず、拡張ＰＤＣＣＨのみを割り当てることができる。なお、Extension  carrierタイプが適用されるサブフレームでは、先頭から最大３ＯＦＤＭシンボルにおいて拡張ＰＤＣＣＨが割り当てられてもよい（図３Ｃ参照）。
【００２８】
このような周波数分割アプローチを適用する場合、拡張ＰＤＣＣＨをシステム帯域にどのようにマッピングするかが問題となる。上述のように、拡張ＰＤＣＣＨは、ＰＤＳＣＨと周波数分割多重され、システム帯域の一部にマッピングされるためである。
【００２９】
図４に、拡張ＰＤＣＣＨのマッピングの一例を示す。図４では、１１個の物理リソースブロック（ＰＲＢ：Physical  Resource  Block）でシステム帯域が構成されている。１１個のＰＲＢには、周波数方向に沿ってＰＲＢインデックス（ＰＲＢ＃０〜＃１０）が付されている。図４において、拡張ＰＤＣＣＨは、不連続の４個のＰＲＢ＃１、＃４、＃８、＃１０にマッピングされる。このように、拡張ＰＤＣＣＨを不連続の４個のＰＲＢにマッピングすることで拡張ＰＤＣＣＨをシステム帯域内に分散させることができる。この結果、拡張ＰＤＣＣＨについての周波数ダイバーシチ効果を得ることができる。
【００３０】
なお、図４では、拡張ＰＤＣＣＨは、ＰＲＢ単位でマッピングされているが、これに限られるものではない。例えば、連続する複数のＰＲＢ（例えば、２個又は４個のＰＲＢ）からなるＲＢＧ（Resource  Block  Group）単位で行われてもよい。
【００３１】
ところで、既存のＰＤＣＣＨでは、ユーザ端末ＵＥが下り制御情報（ＤＣＩ）のブラインドデコーディングを行う範囲を示すサーチスペース（ＳＳ）が定義されている。ユーザ端末ＵＥは、無線基地局装置からシグナリングされた（例えば、ＲＲＣシグナリング）サーチスペース内でブラインドデコーディングを行う。
【００３２】
このようなサーチスペースの種類としては、共通サーチスペース（ＣＳＳ：Common  Search  Space）とＵＥ固有サーチスペース（ＵＥ−ＳＳ：ＵＥ-specific  Search  Space）（固有サーチスペースともいう）とがある。共通サーチスペースとは、セル内のユーザ端末ＵＥが共通制御情報をブラインドデコーディングすべき範囲を示すものである。また、ＵＥ固有サーチスペースとは、各ユーザ端末ＵＥが固有制御情報をブラインドデコーディングすべき範囲を示すものである。
【００３３】
なお、共通制御情報とは、セル内のユーザ端末ＵＥに共通の下り制御情報であり、例えば、ＤＣＩフォーマット０、１Ａ等で定義される情報である。また、固有制御情報とは、セル内の各ユーザ端末ＵＥに固有の下り制御情報であり、例えば、下り共有データチャネルの割り当て情報（DL  Assignment）や、上り共有データチャネルのスケジューリング情報（UL  grant）などが含まれる。
【００３４】
以上のようなサーチスペースは、既存のＰＤＣＣＨの割り当て単位である制御チャネル要素（ＣＣＥ：Channel  Control  Element）と、既存のＰＤＣＣＨに対してＣＣＥを何個連続で割り当てられるかを示すアグリゲーションレベル（Aggregation  Level）とによって定義される。例えば、アグリゲーションレベル１では１ＣＣＥ単位で、アグリゲーションレベル２では２ＣＣＥ単位で、アグリゲーションレベル３では４ＣＣＥ単位で、アグリゲーションレベル４では８ＣＣＥ単位で、サーチスペースが定義される。なお、共通サーチスペースは、アグリゲーションレベル３、４をサポートし、ＵＥ固有サーチスペースは、アグリゲーションレベル１〜４をサポートする。また、アグリゲーションレベルは、ユーザ端末ＵＥにおける信号の受信品質に基づいて決定される。
【００３５】
既存のＰＤＣＣＨでは、以上のようなサーチスペースが定義されることにより、ユーザ端末ＵＥにおけるブラインドデコーディングの回数を削減できる。したがって、without  cross  interleavingを適用する拡張ＰＤＣＣＨにおいても、ユーザ端末ＵＥにおけるブラインドデコーディングの回数を削減するために、共通サーチスペースとＵＥ固有サーチスペースとを定義することが望まれていた。そこで、本発明者らは、拡張ＰＤＣＣＨにおける共通サーチスペースとＵＥ固有サーチスペースのマッピングについて検討し、本願発明に至った。
【００３６】
（第１の態様）
図５〜図７を参照して、第１の態様に係る拡張ＰＤＣＣＨのマッピング方法の一例について説明する。なお、以下では、拡張ＰＤＣＣＨをＲＢＧ単位でマッピングする例を示すが、これに限られるものではない。
【００３７】
図５に、第１の態様に係る拡張ＰＤＣＣＨのマッピングの一例を示す。図５では、１００Ｍｈｚのシステム帯域の例が示されており、周波数方向に１００個のＰＲＢ（不図示）が連続して配置される。ここで、システム帯域が１００個のＰＲＢで構成される場合、１つのＲＢＧは４個の連続するＰＲＢで構成される。よって、図５では、２５個のＲＢＧが示されている。また、２５個のＲＢＧには、周波数方向に沿ってＲＢＧインデックス（ＲＢＧ＃０〜＃２４）が付されている。
【００３８】
なお、システム帯域、ＰＲＢの数、１つのＲＢＧを構成するＰＲＢの数は、図５に示す例に限られるものではない。例えば、システム帯域が２５個のＰＲＢで構成される場合、１つのＲＢＧは２つの連続するＰＲＢで構成され、１３個のＲＢＧが示される。
【００３９】
図５に示すように、無線基地局装置は、共通制御情報が配置される共通サーチスペースと固有制御情報が配置されるＵＥ固有サーチスペースとを、システム帯域を構成するＲＢＧ単位で分離してマッピングする。具体的には、共通サーチスペースは、システム帯域全体に分散されるように、不連続の４個のＲＢＧ（ＲＢＧ＃０、＃７、＃１４、＃２１）にマッピングされる。また、ＵＥ固有サーチスペースは、システム帯域全体に分散されるように、不連続の４個のＲＢＧ（ＲＢＧ＃１、＃８、＃１５、＃２２）にマッピングされる。
【００４０】
共通サーチスペースに配置される共通制御情報は、上述のように、セル内のユーザ端末に共通の下り制御情報であるので、周波数ダイバーシチ効果が得られるように、分散された周波数帯域で送信されることが望ましい。このため、共通サーチスペースは、システム帯域全体に分散された不連続の所定数のＲＢＧ（図５では、４個のＲＢＧ＃０、＃７、＃１４、＃２１）に分散マッピングされる。
【００４１】
また、ＵＥ固有サーチスペースに配置される固有制御情報は、各ユーザ端末ＵＥに固有の下り制御情報であるので、対象のユーザ端末ＵＥにとって最も受信品質が良い周波数帯域で局所的に送信されることが望ましい。このため、ＵＥ固有サーチスペースは、システム帯域全体に分散された不連続の所定数のＲＢＧ（図５では、４個のＲＢＧ＃１、＃８、＃１５、＃２２）に分散マッピングされるが、固有制御情報は、所定のＲＢＧに局所的にマッピングされる。また、受信品質が利用できない場合は、分散マッピングを適用してもよい。
【００４２】
図５に示す共通サーチスペース及びＵＥ固有サーチスペースのマッピング位置は、上位レイヤ（例えば、ＲＲＣレイヤなど）で、ユーザ端末ＵＥにシグナリングされる。このマッピング位置のシグナリングには、ビットマップ（例えば、図５では、２５個のＲＢＧを示す２５ビットのビットマップ）が用いられてもよい。
【００４３】
また、共通サーチスペースのマッピング位置は、報知情報（例えば、ＭＩＢやＳＩＢなど）として、ユーザ端末ＵＥにブロードキャスト送信されてもよい。共通サーチスペースのマッピング位置は、セル内のユーザ端末ＵＥに共通であるためである。この場合にも、ビットマップが用いられてもよい。
【００４４】
なお、図５では、共通サーチスペース及びＵＥ固有サーチスペースは、ＲＢＧ単位で分離してマッピングされるが、これに限られるものではない。例えば、共通サーチスペース及びＵＥ固有サーチスペースは、ＰＲＢ単位で分離してマッピングされてもよい。
【００４５】
また、図５では、共通サーチスペース及びＵＥ固有サーチスペースがマッピングされるＲＢＧの数はそれぞれ４個であるが、これに限られるものではない。また、共通サーチスペース及びＵＥ固有サーチスペースがマッピングされる複数のＲＢＧの一部は連続していてもよい。
【００４６】
次に、図６及び図７を参照し、第１の態様に係る拡張ＰＤＣＣＨの共通サーチスペースの分散マッピングについて詳述する。なお、図６及び図７では、図５と同様に、１００ＭＨｚのシステム帯域の例が示される。また、図６及び図７では、共通サーチスペースがＲＢＧ単位で分散マッピングされる例を説明するが、ＰＲＢ単位で分散マッピングされてもよい。
【００４７】
図６では、不連続の４個のＲＢＧ（ＲＢＧ＃０、＃７、＃１４、＃２１）に分散マッピングされた共通サーチスペースと、拡張制御チャネル要素（ｅＣＣＥ：enhanced  Channel  Control  Element）との対応付けが示される。上述のように、既存のＰＤＣＣＨに対する最小割り当て単位はＣＣＥである。拡張ＰＤＣＣＨでは、既存のＣＣＥをリユースできるように、ｅＣＣＥが定義される。すなわち、拡張ＰＤＣＣＨに対する最小割り当て単位は、ｅＣＣＥとなる。このため、拡張ＰＤＣＣＨの共通サーチスペースはｅＣＣＥ単位で管理される。
【００４８】
図６において、１個のＲＢＧは４個のＲＢ（ＰＲＢ）で構成される。１個のＲＢ（ＰＲＢ）は２個のｅＣＣＥに対応する。このため、４個のＲＢＧにマッピングされた共通サーチスペースは、４×４×２＝３２個のｅＣＣＥで定義されることになる。図６では、周波数方向に沿ってＲＢＧインデックス＃０、＃７、＃１４、＃２１の小さい方から順番にｅＣＣＥにインデックス番号＃０〜＃３１をナンバリングしている。なお、１個のＰＲＢを構成するｅＣＣＥの数は、２個に限定されず、その他の数（例えば、４個）としてもよい。
【００４９】
第１の態様では、拡張ＰＤＣＣＨにおける共通サーチスペースを構成するｅＣＣＥをそれぞれ分割して、分割されたｅＣＣＥ同士が周波数帯域の異なるＲＢＧにそれぞれ分散されるようにマッピングする。これにより、共通サーチスペースで伝送される共通制御情報について、周波数ダイバーシチ効果が得られることとなる。
【００５０】
具体的には、図７Ａに示すように、無線基地局装置は、共通サーチスペースとして割り当てられたｅＣＣＥ＃０〜＃３１をそれぞれ２個に分割する。１ｅＣＣＥを２個に分割する場合、１個のＲＢＧ（例えば、ＲＢＧ＃０）に対して、１６個のｅＣＣＥ（例えば、ｅＣＣＥ＃０、＃０、＃１、＃１、…＃７、＃７）が対応することとなる。
【００５１】
次に、図７Ｂに示すように、図７Ａで分割されたｅＣＣＥが、複数の仮想リソース領域に分散配置される。図７Ｂでは、仮想リソース領域として４つの仮想リソースブロックグループ（ＶＲＢＧ）＃１〜＃４が定義され、図７Ａに示す６４個のｅＣＣＥがＶＲＢＧ＃１〜＃４に分散配置される。
【００５２】
具体的には、図７Ａにおいて同じインデックス番号が付されたｅＣＣＥは、図７Ｂにおいて異なるインデックス番号のＶＲＢＧに配置される。例えば、同じインデックス番号が付された２個のｅＣＣＥ＃０は、ＶＲＢＧ＃１とＶＲＢＧ＃２に配置される。同様に、２個のｅＣＣＥ＃１は、ＶＲＢＧ＃３とＶＲＢＧ＃４に配置される。ｅＣＣＥ＃２〜＃３１についても同様である。
【００５３】
図７Ｃに示すように、ｅＣＣＥが分散配置された複数の仮想リソース領域（ＶＲＢＧ＃１〜＃４）は、インタリーブされ、元のＲＢＧ＃０、＃７、＃１４、＃２１にマッピングされる。図７Ｃでは、奇数インデックス番号のＶＲＢＧを元のＲＢＧに昇順にマッピングしてから、偶数インデックス番号のＶＲＢＧを元のＲＢＧに昇順にマッピングする例が示される。すなわち、ＶＲＢＧ＃１は元のＲＢＧ＃０に、ＶＲＢＧ＃２は元のＲＢＧ＃７に、ＶＲＢＧ＃３は元のＲＢＧ＃１４に、ＶＲＢＧ＃４は元のＲＢＧ＃２１にマッピングされる。
【００５４】
図７Ｃに示すように、ＶＲＢＧをインタリーブして元のＲＢＧにマッピングすることにより、同じインデックス番号が付されたｅＣＣＥペア間の周波数間隔を拡大することができるため、共通サーチスペースの周波数ダイバーシチ効果を得ることができる。
【００５５】
なお、図６及び図７で説明した分散マッピング方法は、共通サーチスペースだけではなく、ＵＥ固有サーチスペースに適用されてもよい。
【００５６】
以上のように、第１の態様に係る拡張ＰＤＣＣＨのマッピング方法によれば、無線基地局装置は、共通サーチスペースとＵＥ固有サーチスペースとを、ＰＲＢ単位又はＲＢＧ単位で分離してマッピングする。特に、無線基地局装置は、セル内の全ユーザ端末ＵＥの共通制御情報が配置される共通サーチスペースを、システム帯域内に分散されるように複数の周波数領域単位（ＰＲＢ又はＲＢＧ）にマッピングする。このため、周波数ダイバーシチ効果により、セル内の異なる位置に位置するユーザ端末ＵＥが安定して共通制御情報を復号できる。また、無線基地局装置は、特定のユーザ端末ＵＥに固有の固有制御情報が配置されるＵＥ固有サーチスペースを、システム帯域内の一部に局所化されるように複数の周波数領域単位（ＰＲＢ又はＲＢＧ）にマッピングする。このため、特定のユーザ端末ＵＥはより受信品質の良い周波数領域単位（ＰＲＢ又はＲＢＧ）で固有制御情報を復号できる。また、受信品質が利用できない場合は、分散マッピングを適用してもよい。
【００５７】
特に、ＨｅｔＮｅｔの小型基地局装置に上述のマッピング方法を適用することで、小型基地局装置は、ユーザ端末ＵＥに対して、大型基地局装置からＣＲＳ等による干渉の影響が大きい既存ＰＤＣＣＨでなく、干渉の影響が小さい拡張ＰＤＣＣＨを用いて共通制御情報と固有制御情報を送信することができる。より具体的には、拡張ＰＤＣＣＨにおいては、ＤＭ−ＲＳによるビームフォーミング効果が得られるので、後述するＣＲＥ（Cell  Range  Expansion）により小型基地局装置に接続するユーザ端末ＵＥが、拡張ＰＤＣＣＨに配置された共通サーチスペースをより効果的にブラインドデコーディングすることができる。この結果、ＨｅｔＮｅｔにおける干渉コーディネーションが可能となる。また、Ｌｏｗ  ｃｏｓｔ  ＭＴＣ  Ｄｅｖｉｃｅにも適合することとなる。また、受信品質が利用できない場合は、分散マッピングを適用してもよい。
【００５８】
（第２の態様）
図８〜図１２を参照して、第２の態様に係る拡張ＰＤＣＣＨのマッピング方法の一例について説明する。第２の態様は、拡張ＰＤＣＣＨの共通サーチスペースについて、ＨｅｔＮｅｔにより適合したマッピング方法とするものである。よって、第１の態様に係る拡張ＰＤＣＣＨのマッピング方法に第２の態様を組み合わせることも可能である。
【００５９】
ＨｅｔＮｅｔでは、ＣＲＥ（Cell  Range  Expansion）を行って、小型基地局装置のセル端に位置するユーザ端末ＵＥを小型基地局装置に接続させることが検討されている。図８に、ＨｅｔＮｅｔにおけるＣＲＥの一例を示す。図８では、無線基地局装置（マクロ基地局Ｂ１）の形成するセルＣ１内に、局所的なセルＣ２を形成する小型基地局装置（ピコ基地局Ｂ２）が配置されている。
【００６０】
図８に示すように、ＨｅｔＮｅｔにおけるＣＲＥでは、ピコ基地局Ｂ２からの受信電力にオフセット値を与えることでピコ基地局Ｂ２のセル範囲をセルＣ２’に拡大し、セルＣ２のセル端に位置するユーザ端末ＵＥをピコ基地局Ｂ２に接続させる。こうすることにより、送信電力の小さなピコ基地局Ｂ２のカバレッジを増大することができ、より多くのユーザ端末ＵＥをピコ基地局に接続することができる。
【００６１】
一方、ユーザ端末ＵＥがＣＲＥによってピコ基地局Ｂ２に接続された場合、ユーザ端末ＵＥは、マクロ基地局Ｂ１からの干渉を大きく受けることになる。このような干渉を防ぐため、ピコ基地局Ｂ２からユーザ端末ＵＥに対する信号が送信されるサブフレームにおいて、マクロ基地局Ｂ１は、ＡＢＳ（Ａｌｍｏｓｔ  Ｂｌａｎｋ  Ｓｕｂｆｒａｍｅ）やＭＢＳＦＮサブフレームを適用する。
【００６２】
ところが、ＡＢＳやＭＢＳＦＮサブフレームでは、データ（例えば、ＰＤＳＣＨ）の送信が停止されるものの、参照信号（Cell  specific  reference  signal（ＣＲＳ））や、同期信号、報知チャネルなどは送信される。このため、ユーザ端末ＵＥがＣＲＥによりピコ基地局Ｂ２に接続された場合、マクロ基地局Ｂ１がＡＢＳやＭＢＳＦＮサブフレームを適用していても、図８に示すように、マクロ基地局Ｂ１からのＣＲＳ等による干渉を大きく受けることとなる。
【００６３】
このようなマクロ基地局Ｂ１からのＣＲＳ等による干渉の影響は、ピコ基地局Ｂ２からユーザ端末ＵＥに対する既存のＰＤＣＣＨにおいてより顕著なものとなる。そこで、ピコ基地局Ｂ２では、マクロ基地局Ｂ１からの干渉の影響を軽減できる拡張ＰＤＣＣＨにおいて、共通サーチスペースを定義することが有効となる。
【００６４】
このように、ＨｅｔＮｅｔにおいて、マクロ基地局Ｂ１とピコ基地局Ｂ２との双方が拡張ＰＤＣＣＨにおいて共通サーチスペースを定義する場合、マクロ基地局Ｂ１とピコ基地局Ｂ２との間の干渉コーディネーションが重要な問題となる。第２の態様に係る拡張ＰＤＣＣＨのマッピング方法では、マクロ基地局Ｂ１とピコ基地局Ｂ２との間の干渉コーディネーションを可能とする、共通サーチスペースのマッピングを検討する。
【００６５】
図９及び図１０を参照し、第２の態様に係る拡張ＰＤＣＣＨの共通サーチスペースのマッピングの一例を詳述する。なお、図９及び図１０では、図５〜７と同様に、１００ＭＨｚのシステム帯域の例が示される。また、図９及び図１０では、共通サーチスペースがＲＢＧ単位でマッピングされる例を説明するが、これに限られるものではなく、例えば、ＰＲＢ単位でマッピングされてもよい。また、図９において、不図示のＵＥ固有サーチスペースがマッピングされていてもよい。
【００６６】
図９に示すように、ＨｅｔＮｅｔのマクロ基地局Ｂ１及びピコ基地局Ｂ２は、拡張ＰＤＣＣＨの共通サーチスペースを、共通の複数のＲＢＧ（ＲＢＧ＃０、＃７、＃１４、＃２１）にマッピングする。すなわち、図９では、マクロ基地局Ｂ１とピコ基地局Ｂ２との双方において、複数のＲＢＧ（ＲＢＧ＃０、＃７、＃１４、＃２１）が共通サーチスペース用に割り当てられる。
【００６７】
一方、複数のＲＢＧを構成するｅＣＣＥは、マクロ基地局Ｂ１とピコ基地局Ｂ２との間で別々に割り当てられる。具体的には、マクロ基地局Ｂ１に対しては、所定の周波数方向（図９では、周波数の小さい方向）から順番に連続するインデックス番号が付された複数のｅＣＣＥ（ｅＣＣＥ＃０〜＃１５）が割り当てられる。また、ピコ基地局Ｂ２に対しては、残りの連続するインデックス番号が付された複数のｅＣＣＥ（ｅＣＣＥ＃１６〜＃３１）が割り当てられる。
【００６８】
このように、マクロ基地局Ｂ１とピコ基地局Ｂ２との間で、共通サーチスペースをマッピングする複数のＲＢＧを共通させる一方、ｅＣＣＥは別々とする。より具体的には、マクロ基地局Ｂ１に対して一方のｅＣＣＥ、ピコ基地局Ｂ２に対して他方のｅＣＣＥが割り当てられる。この結果、共通サーチスペースをマッピングする複数のＲＢＧを共通させても、以下の分散マッピングを適用することで、周波数ダイバーシチ効果を得ることができる。
【００６９】
分散マッピングでは、マクロ基地局Ｂ１用に割り当てられたｅＣＣＥ＃０〜＃１５、ピコ基地局Ｂ２用に割り当てられたｅＣＣＥ＃１６〜＃３１をそれぞれ分割して、分割されたｅＣＣＥ同士が周波数帯域の異なるＲＢＧにそれぞれ分散されるようにマッピングする。これにより、マクロ基地局Ｂ１用の共通サーチスペースに配置される共通制御情報と、ピコ基地局Ｂ２用の共通サーチスペースに配置される共通制御情報とを、周波数帯域の異なるＲＢＧ＃０、＃７、＃１４、＃２１に分散させることができる。すなわち、マクロ基地局Ｂ１とピコ基地局Ｂ２との間の干渉の影響を軽減すると共に、共通制御情報の周波数ダイバーシチ効果を得ることができる。
【００７０】
具体的には、図１０Ａに示すように、マクロ基地局Ｂ１は、マクロ基地局Ｂ１用に割り当てられたｅＣＣＥ＃０〜＃１５をそれぞれ２個に分割し、分割したｅＣＣＥ同士に同じインデックス番号（図１０Ａでは、ｅＣＣＥ＃０、＃０…、＃１５、＃１５）を付す。同様に、ピコ基地局Ｂ２は、ピコ基地局Ｂ２用に割り当てられたｅＣＣＥ＃１６〜＃３１をそれぞれ２個に分割し、分割したｅＣＣＥ同士に同じインデックス番号（図１０Ａでは、ｅＣＣＥ＃１６、＃１６…、＃３１、＃３１）を付す。
【００７１】
次に、図１０Ｂに示すように、図１０Ａで分割されたｅＣＣＥが、複数の仮想リソース領域に分散配置される。図１０Ｂでは、仮想リソース領域として４つの仮想リソースブロックグループ（ＶＲＢＧ）＃１〜＃４が定義され、図１０Ａに示す６４個のｅＣＣＥがＶＲＢＧ＃１〜＃４に分散配置される。
【００７２】
具体的には、図１０Ａにおいて同じインデックス番号が付されたｅＣＣＥは、図１０Ｂにおいて異なるインデックス番号のＶＲＢＧに配置される。さらに、マクロ基地局Ｂ１に割り当てられた３２個のｅＣＣＥは、インデックス番号に基づいてＶＲＢＧ＃１〜＃４に分散配置される。同様に、ピコ基地局Ｂ２に割り当てられた３２個のｅＣＣＥは、インデックス番号に基づいてＶＲＢＧ＃１〜＃４に分散配置される。例えば、図１０Ｂでは、マクロ基地局Ｂ１及びピコ基地局Ｂ２に割り当てられた偶数インデックス番号のｅＣＣＥはＶＲＢＧ＃１及び＃２に配置され、奇数インデックス番号のｅＣＣＥはＶＲＢＧ＃３及び＃４に配置される。
【００７３】
図１０Ｃに示すように、ｅＣＣＥが分散配置された複数の仮想リソース領域（ＶＲＢＧ＃１〜＃４）は、インタリーブされ、元のＲＢＧ＃０、＃７、＃１４、＃２１にマッピングされる。図１０Ｃでは、奇数インデックス番号のＶＲＢＧを元のＲＢＧに昇順にマッピングしてから、偶数インデックス番号のＶＲＢＧを元のＲＢＧに昇順にマッピングする例が示される。すなわち、ＶＲＢＧ＃１は元のＲＢＧ＃０に、ＶＲＢＧ＃２は元のＲＢＧ＃７に、ＶＲＢＧ＃３は元のＲＢＧ＃１４に、ＶＲＢＧ＃４は元のＲＢＧ＃２１にマッピングされる。
【００７４】
図１０Ｃに示すように、ＶＲＢＧをインタリーブしてＲＢＧにマッピングすることにより、同じインデックス番号が付されたｅＣＣＥペア間の周波数間隔を拡大することができる。さらに、マクロ基地局Ｂ１用のｅＣＣＥペア間、ピコ基地局Ｂ２用のｅＣＣＥペア間の周波数間隔を拡大できるので、マクロ基地局Ｂ１の共通サーチスペースとピコ基地局Ｂ２の共通サーチスペースとの双方について、周波数ダイバーシチ効果を得ることができる。このようにマクロ基地局Ｂ１とピコ基地局Ｂ２でサーチスペースを別々に割当てることで、マクロ基地局Ｂ１とピコ基地局Ｂ２との間の干渉の影響を軽減しつつ、分散マッピングにより周波数ダイバーシチ効果が得られるため、マクロ基地局Ｂ１のセルＣ１内のユーザ端末ＵＥとピコ基地局Ｂ２のセルＣ２内のユーザ端末ＵＥとがそれぞれ安定して共通制御情報を復号可能となる。
【００７５】
以上のような第２の態様に係る拡張ＰＤＣＣＨのマッピング方法によれば、マクロ基地局Ｂ１とピコ基地局Ｂ２との間で、共通サーチスペースをマッピングする複数のＲＢＧを共通させる一方、それぞれの共通サーチスペースをインデックス番号が異なるｅＣＣＥにマッピングする。このため、マクロ基地局Ｂ１とピコ基地局Ｂ２間の干渉を軽減しつつ，分散マッピングにより得られる周波数ダイバーシチ効果により、マクロ基地局Ｂ１のセルＣ１内に位置するユーザ端末ＵＥとピコ基地局Ｂ２のセルＣ２内に位置するユーザ端末ＵＥとがそれぞれ安定して共通制御情報を復号可能となる。
【００７６】
次に、図１１及び図１２を参照し、第２の態様に係る拡張ＰＤＣＣＨの共通サーチスペースのマッピングの別の例を詳述する。図９で説明したマッピングの一例では、マクロ基地局Ｂ１の共通サーチスペースとピコ基地局Ｂ２の共通サーチスペースとがｅＣＣＥ単位で分離された。本例では、図１１に示すように、マクロ基地局Ｂ１の共通サーチスペースとピコ基地局Ｂ２の共通サーチスペースとがＲＢＧ単位で分離される点が異なる。なお、図示しないが、ＰＲＢ単位で分離されてもよい。
【００７７】
図１１に示すように、マクロ基地局Ｂ１の共通サーチスペースは、ＲＢＧ＃０及び＃１４にマッピングされる。一方、ピコ基地局Ｂ２の共通サーチスペースは、ＲＢＧ＃７及び＃２１にマッピングされる。このように、本例では、マクロ基地局Ｂ１及びピコ基地局Ｂ２は、マクロ基地局Ｂ１とピコ基地局Ｂ２との間で、共通サーチスペースをそれぞれ異なるＲＢＧにマッピングする。この結果、以下の分散マッピングを適用することで、周波数ダイバーシチ効果を得ることができる。
【００７８】
マクロ基地局Ｂ１の共通サーチスペースとピコ基地局Ｂ２の共通サーチスペースとがＲＢＧ単位で分離される場合、マクロ基地局Ｂ１とピコ基地局Ｂ２とでｅＣＣＥも別々に定義される。図１１では、マクロ基地局Ｂ１用のＲＢＧ＃０及び＃１４に対応して、ｅＣＣＥ＃０〜＃１５が定義されている。同様に、ピコ基地局Ｂ２用のＲＢＧ＃７及び＃２１に対応して、ｅＣＣＥ＃０〜＃１５が定義されている。なお、図６で説明したように、１個のＲＢＧは４個のＰＲＢで構成され、１個のＰＲＢは２個のｅＣＣＥに対応する。図６では、マクロ基地局Ｂ１の共通サーチスペースは、２個のＲＢＧにマッピングされるので、１６個のｅＣＣＥ（ｅＣＣＥ＃０〜＃１５）に対応することとなる。ピコ基地局Ｂ２の共通サーチスペースについても同様である。
【００７９】
また、図１２Ａに示すように、マクロ基地局Ｂ１用の共通サーチスペースを構成するｅＣＣＥ＃０〜＃１５はそれぞれ分割されて、分割されたｅＣＣＥ同士が周波数帯域の異なるＲＢＧ＃０及び＃１４にそれぞれ分散されるようにマッピングされる。上述のように、分割されたｅＣＣＥ同士には同じインデックス番号が付されて、同じインデックス番号が付されたｅＣＣＥを異なるＶＲＢＧ＃１及び＃２に配置する。そして、ＶＲＢＧ＃１及び＃２がそれぞれ元のＲＢＧ＃１４及び＃０にマッピングされる。これにより、同じインデックス番号が付されたｅＣＣＥペア間の周波数間隔を拡大することができるため、マクロ基地局Ｂ１の共通サーチスペースの周波数ダイバーシチ効果を得ることができる。
【００８０】
同様に、図１２Ｂに示すように、ピコ基地局Ｂ２用の共通サーチスペースを構成するｅＣＣＥ＃０〜＃１５はそれぞれ分割されて、分割されたｅＣＣＥ同士が周波数帯域の異なるＲＢＧ＃７及び＃２１にそれぞれ分散されるようにマッピングされる。なお、マッピングの詳細は、図１２Ａと同様であるため、説明を省略する。
【００８１】
以上のような第２の態様の別の例に係る拡張ＰＤＣＣＨのマッピング方法によれば、マクロ基地局Ｂ１とピコ基地局Ｂ２との間で、それぞれ共通サーチスペースを異なるＲＢＧにマッピングする。このため、マクロ基地局Ｂ１とピコ基地局Ｂ２間の干渉を軽減しつつ，分散マッピングにより得られる周波数ダイバーシチ効果により、マクロ基地局Ｂ１のセルＣ１内に位置するユーザ端末ＵＥとピコ基地局Ｂ２のセルＣ２内に位置するユーザ端末ＵＥとがそれぞれ安定して共通制御情報を復号可能となる。
【００８２】
（無線通信システムの構成）
以下、本実施の形態に係る無線通信システムについて詳細に説明する。図１３は、本実施の形態に係る無線通信システムのシステム構成の説明図である。なお、図１３に示す無線通信システムは、例えば、ＬＴＥシステム或いは、その後継システムが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００８３】
図１３に示すように、無線通信システム１は、無線基地局装置２０と、この無線基地局装置２０と通信する複数のユーザ端末１０とを含んで構成されている。無線基地局装置２０は、上位局装置３０と接続され、この上位局装置３０は、コアネットワーク４０と接続される。また、無線基地局装置２０（２０Ａ、２０Ｂ）は、有線接続又は無線接続により相互に接続されている。各ユーザ端末１０（１０Ａ、１０Ｂ）は、セルＣ１、Ｃ２において無線基地局装置２０（２０Ａ、２０Ｂ）と通信を行うことができる。なお、相対的に大きいセルＣ１を形成する無線基地局装置２０Ａは、マクロ基地局、ｅＮＢ（eNodeB）、ＨｅＮＢ（Home eNodeB）などと呼ばれてもよい。また、セルＣ１内に配置され、局所的なセルＣ２を形成する無線基地局装置２０Ｂは、ピコ基地局、フェムト基地局、ＲＲＨ、リレー局などと呼ばれてもよい。
【００８４】
なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されない。
【００８５】
各ユーザ端末１０は、ＬＴＥ端末及びＬＴＥ−Ａ端末を含むが、以下においては、特段の断りがない限りユーザ端末として説明を進める。
【００８６】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００８７】
ここで、通信チャネルについて説明する。下りリンクの通信チャネルは、各ユーザ端末１０で共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）と、ＰＤＣＣＨを拡張した拡張ＰＤＣＣＨとを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００８８】
拡張ＰＤＣＣＨにより、ＰＤＳＣＨ及びＰＵＳＣＨのスケジューリング情報等が伝送される。拡張ＰＤＣＣＨは、ＰＤＳＣＨが割り当てられるリソース領域を用いてＰＤＣＣＨの容量不足をサポートするために使用される。
【００８９】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【００９０】
図１４を参照しながら、本実施の形態に係る無線基地局装置の全体構成について説明する。無線基地局装置２０は、ＭＩＭＯ伝送のための複数の送受信アンテナ２０１と、アンプ部２０２と、送受信部（送信部）２０３と、ベースバンド信号処理部２０４と、呼処理部２０５と、伝送路インターフェース２０６とを備えている。
【００９１】
下りリンクにより無線基地局装置２０からユーザ端末１０に送信されるユーザデータは、上位局装置３０から伝送路インターフェース２０６を介してベースバンド信号処理部２０４に入力される。
【００９２】
ベースバンド信号処理部２０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部２０３に転送される。また、下りリンクの制御チャネルの信号に関しても、チャネル符号化や逆高速フーリエ変換等の送信処理が行われて、各送受信部２０３に転送される。
【００９３】
また、ベースバンド信号処理部２０４は、報知チャネルにより、ユーザ端末１０に対して、当該セルにおける通信のための制御情報を通知する。当該セルにおける通信のための情報には、例えば、上りリンク又は下りリンクにおけるシステム帯域幅、ユーザ端末１０に割当てたリソースブロック情報、ユーザ端末１０におけるプリコーディングのためのプリコーディング情報、ＰＲＡＣＨ（Physical  Random  Access  Channel）におけるランダムアクセスプリアンブルの信号を生成するためのルート系列の識別情報（Root  Sequence  Index）等が含まれる。プリコーディング情報はＰＨＩＣＨのような独立の制御チャネルを介して送信されてもよい。
【００９４】
各送受信部２０３は、ベースバンド信号処理部２０４からアンテナ毎にプリコーディングして出力されたベースバンド信号を無線周波数帯に変換する。アンプ部２０２は、周波数変換された無線周波数信号を増幅して送受信アンテナ２０１により送信する。
【００９５】
一方、上りリンクによりユーザ端末１０から無線基地局装置２０に送信されるデータについては、各送受信アンテナ２０１で受信された無線周波数信号がそれぞれアンプ部２０２で増幅され、各送受信部２０３で周波数変換されてベースバンド信号に変換され、ベースバンド信号処理部２０４に入力される。
【００９６】
ベースバンド信号処理部２０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２０６を介して上位局装置３０に転送される。
【００９７】
呼処理部２０５は、通信チャネルの設定や解放等の呼処理や、無線基地局装置２０の状態管理や、無線リソースの管理を行う。
【００９８】
次に、図１５を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、ＭＩＭＯ伝送のための複数の送受信アンテナ１０１と、アンプ部１０２と、送受信部（受信部）１０３と、ベースバンド信号処理部１０４と、アプリケーション部１０５とを備えている。
【００９９】
下りリンクのデータについては、複数の送受信アンテナ１０１で受信された無線周波数信号がそれぞれアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報もアプリケーション部１０５に転送される。
【０１００】
一方、上りリンクのユーザデータについては、アプリケーション部１０５からベースバンド信号処理部１０４に入力される。ベースバンド信号処理部１０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部１０３に転送される。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１により送信する。
【０１０１】
図１６は、本実施の形態に係る無線基地局装置２０が有するベースバンド信号処理部２０４及び一部の上位レイヤの機能ブロック図であり、主にベースバンド信号処理部２０４の送信処理の機能ブロックを示している。図１６には、最大Ｍ個（ＣＣ＃０〜ＣＣ＃Ｍ）のコンポーネントキャリア数に対応可能な基地局構成が例示されている。無線基地局装置２０の配下となるユーザ端末１０に対する送信データが上位局装置３０から無線基地局装置２０に対して転送される。
【０１０２】
制御情報生成部３００は、上位レイヤシグナリング（例えばＲＲＣシグナリング）する上位制御情報をユーザ単位で生成する。また、上位制御情報は、予め拡張ＰＤＣＣＨ（ＦＤＭ型ＰＤＣＣＨ）をマッピングできるリソースブロック（ＰＲＢ位置）を含むことができる。
【０１０３】
データ生成部３０１は、上位局装置３０から転送された送信データをユーザ別にユーザデータとして出力する。コンポーネントキャリア選択部３０２は、ユーザ端末１０との無線通信に使用されるコンポーネントキャリアをユーザ毎に選択する。
【０１０４】
スケジューリング部３１０は、システム帯域全体の通信品質に応じて、配下のユーザ端末１０に対するコンポーネントキャリアの割当てを制御する。また、スケジューリング部３１０は、各コンポーネントキャリアＣＣ＃１−ＣＣ＃Ｍにおけるリソースの割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの信号を測定した受信部からチャネル推定値やリソースブロックのＣＱＩが入力される。
【０１０５】
また、スケジューリング部３１０は、入力された再送指示、チャネル推定値及びＣＱＩを参照しながら、上下制御情報及び上下共有チャネル信号のスケジューリングを行う。移動通信における伝搬路は、周波数選択性フェージングにより周波数毎に変動が異なる。そこで、スケジューリング部３１０は、各ユーザ端末１０へのユーザデータについて、サブフレーム毎に通信品質の良好なリソースブロック（マッピング位置）を指示する（適応周波数スケジューリングと呼ばれる）。適応周波数スケジューリングでは、各リソースブロックに対して伝搬路品質の良好なユーザ端末１０を選択する。そのため、スケジューリング部３１０は、各ユーザ端末１０からフィードバックされるリソースブロック毎のＣＱＩを用いてリソースブロック（マッピング位置）を指示する。
【０１０６】
同様に、スケジューリング部３１０は、適応周波数スケジューリングによって拡張ＰＤＣＣＨで送信される制御情報等について、サブフレーム毎に通信品質の良好なリソースブロック（マッピング位置）を指示することができる。このため、スケジューリング部３１０は、各ユーザ端末１０からフィードバックされるリソースブロック毎のＣＱＩを用いてリソースブロック（マッピング位置）を指示することができる。
【０１０７】
また、スケジューリング部３１０は、ユーザ端末１０との間の伝搬路状況に応じてアグリゲーション数を制御する。既存のＰＤＣＣＨの場合にはＣＣＥアグリゲーション数、拡張ＰＤＣＣＨの場合にはｅＣＣＥアグリゲーション数を制御する。セル端ユーザに対してはＣＣＥアグリゲーション数及びｅＣＣＥアグリゲーション数を上げることになる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【０１０８】
なお、既存のＰＤＣＣＨの場合、共通サーチスペースのＣＣＥアグリゲーション数としては、「４」、「８」がサポートされ、ＵＥ固有サーチスペースのＣＣＥアグリゲーション数としては、「１」、「２」、「４」、「８」がサポートされる。また、拡張ＰＤＣＣＨの場合、共通サーチスペースのｅＣＣＥアグリゲーション数としては、「４」、「８」がサポートされ、ＵＥ固有サーチスペースのｅＣＣＥアグリゲーション数としては、「１」、「２」、「４」、「８」がサポートされる。
【０１０９】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される下り共有データチャネル（ＰＤＳＣＨ）を、ユーザ毎にチャネル符号化する。変調部３０４は、チャネル符号化されたユーザデータをユーザ毎に変調する。マッピング部３０５は、変調されたユーザデータを無線リソースにマッピングする。
【０１１０】
また、ベースバンド信号処理部２０４は、ユーザ固有の下り制御情報である下り共有データチャネル用制御情報を生成する下り制御情報生成部（生成部）３０６と、ユーザ共通の下り制御情報である下り共通制御チャネル用制御情報を生成する下り共通チャネル用制御情報生成部３０７とを備えている。
【０１１１】
下り制御情報生成部３０６は、下り共有データチャネル（ＰＤＳＣＨ）を制御するための下り共有データチャネル用制御情報（DL  assignment等）を生成する。当該下り共有データチャネル用制御情報は、ユーザ毎に生成される。
【０１１２】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【０１１３】
また、ベースバンド信号処理部２０４は、上り制御情報生成部（生成部）３１１と、チャネル符号化部３１２と、変調部３１３とを備える。上り制御情報生成部３１１は、上り共有データチャネル（ＰＵＳＣＨ)を制御するための上り共有データチャネル用制御情報（UL  Grant等）を生成する。当該上り共有データチャネル用制御情報は、ユーザ毎に生成される。
【０１１４】
上記変調部３０９、３１３でユーザ毎に変調された制御信号は制御チャネル多重部３１４で多重される。既存ＰＤＣＣＨ用の下り制御信号は、サブフレームの先頭の１〜３ＯＦＤＭシンボルに多重され、インタリーブ部３１５でインタリーブされる。一方、拡張ＰＤＣＣＨ用の下り制御信号は、所定のＯＦＤＭシンボル数より後のリソース領域において下り共有データチャネル信号と周波数分割多重されて、マッピング部３１９でリソースブロック（ＰＲＢ）にマッピングされる。この場合、マッピング部３１９は、スケジューリング部３１０からの指示に基づき、上記した図５〜７、９〜１２を用いて説明した方法を適用してマッピングする。
【０１１５】
マッピング部３１９は、拡張ＰＤＣＣＨにおける共通サーチスペースとＵＥ固有サーチスペースとを、システム帯域を構成する所定の周波数領域単位（ＰＲＢ又はＲＢＧ）で分離してマッピングする。具体的には、マッピング部３１９は、拡張ＰＤＣＣＨにおける共通サーチスペースがシステム帯域内に分散されるように、共通サーチスペースを不連続の複数の周波数領域単位（ＰＲＢ又はＲＢＧ）にマッピングする。また、マッピング部３１９は、拡張ＰＤＣＣＨにおけるＵＥ固有サーチスペースがシステム帯域内に分散されるように不連続複数の周波数領域単位（ＰＲＢ又はＲＢＧ）にマッピングする。一方で、マッピング部３１９は、ＵＥ固有サーチスペースを構成する複数の周波数領域単位のうち、特定のユーザ端末ＵＥの最も受信品質の良い周波数領域単位に、当該特定のユーザ端末ＵＥ用の固有制御情報を局所化してマッピングする。また、受信品質が利用できない場合は、分散マッピングを適用してもよい。
【０１１６】
また、マッピング部３１９は、共通サーチスペースがマッピングされた複数の周波数領域単位（ＰＲＢ又はＲＢＧ）の各々を複数のｅＣＣＥを含むように構成するとともに、各ｅＣＣＥを分割し、分割されたｅＣＣＥ同士を異なる周波数領域単位（ＰＲＢ又はＲＢＧ）に分散して配置する。
【０１１７】
ここで、共通サーチスペースがマッピングされた複数の周波数領域単位（ＰＲＢ又はＲＢＧ）に含まれる各ｅＣＣＥには周波数方向に沿ってインデックス番号が付され、分割されたｅＣＣＥ同士には同じインデックス番号が付される。マッピング部３１９は、同じインデックス番号が付されたｅＣＣＥ同士を周波数方向に並んだ異なる仮想周波数領域単位（ＶＰＲＢ又はＶＲＢＧ）に配置した後、複数の仮想周波数領域単位（ＶＰＲＢ又はＶＲＢＧ）をインタリーブする。これにより、同じインデックス番号が付されたｅＣＣＥ同士の周波数間隔が拡大するため、周波数ダイバーシチ効果を効果的に得ることが可能となる。
【０１１８】
また、マッピング部３１９は、マクロ基地局Ｂ１とピコ基地局Ｂ２との間で、それぞれの共通サーチスペースを共通の周波数領域単位（ＰＲＢ又はＲＢＧ）にマッピングする一方、それぞれの共通サーチスペースを異なるｅＣＣＥに割り当ててもよい。かかる場合、例えば、マクロ基地局Ｂ１に対しては、所定の周波数方向から連続するインデックス番号が付された複数のｅＣＣＥ（図９では、ｅＣＣＥ＃０〜＃１５）が割り当てられ、ピコ基地局Ｂ２に対しては、残りの連続するインデックス番号が付された複数のｅＣＣＥ（図９では、ｅＣＣＥ＃１６〜＃３１）が割り当てられる。
【０１１９】
また、マッピング部３１９は、マクロ基地局Ｂ１とピコ基地局Ｂ２との間で、それぞれの共通サーチスペースを異なる周波数領域単位（ＰＲＢ又はＲＢＧ）に割り当ててもよい。
【０１２０】
参照信号生成部３１８は、チャネル推定、シンボル同期、ＣＱＩ測定、モビリティ測定等の様々な目的に使用されるセル固有参照信号（ＣＲＳ：Cell-specific  Reference  Signal)を生成する。また、参照信号生成部３１８は、ユーザ個別の下りリンク復調用参照信号であるＤＭ−ＲＳを生成する。ＤＭ−ＲＳは、ユーザデータの復調だけでなく、拡張ＰＤＣＣＨで送信される下り制御情報の復調に用いられる。
【０１２１】
また、複数のアンテナ毎に、サブキャリアにマッピングされた送信データ及びユーザ個別の復調用参照信号（ＤＭ−ＲＳ）の位相及び／又は振幅を制御（シフト）するプリコーディングウエイト乗算部を有していてもよい。プリコーディングウエイト乗算部により、位相及び／又は振幅シフトされた送信データ及びユーザ個別の復調用参照信号（ＤＭ−ＲＳ）は、ＩＦＦＴ部３１６に出力される。
【０１２２】
ＩＦＦＴ部３１６には、インタリーブ部３１５及びマッピング部３１９から制御信号が入力され、マッピング部３０５からユーザデータが入力され、参照信号生成部３１８から参照信号が入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィックスは、マルチパス伝搬遅延の差を吸収するためのガードインターバルとして機能する。サイクリックプレフィックスが付加された送信データは、送受信部２０３に送出される。
【０１２３】
図１７は、ユーザ端末１０が有するベースバンド信号処理部１０４の機能ブロック図であり、ＬＴＥ−ＡをサポートするＬＴＥ−Ａ端末の機能ブロックを示している。まず、ユーザ端末１０の下りリンク構成について説明する。
【０１２４】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御情報を取り出す。なお、デマッピング部４０３によるデマッピング処理は、アプリケーション部１０５から入力される上位制御情報に基づいて行われる。デマッピング部４０３から出力された多重制御情報は、デインタリーブ部４０４でデインタリーブされる。
【０１２５】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部（復調部）４０５ａと、多重制御情報から上り共有データチャネル用制御情報を復調する上り共有データチャネル用制御情報復調部（復調部）４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部４０６ｂとを備えている。
【０１２６】
共通制御チャネル用制御情報復調部４０５ａは、下り制御チャネル（ＰＤＣＣＨ）及び拡張下り制御チャネル（拡張ＰＤＣＣＨ）の共通サーチスペースのブラインドデコーディング処理、復調処理、チャネル復号処理などによりユーザ共通の制御情報である共通制御チャネル用制御情報（共通制御情報）を取り出す。共通制御チャネル用制御情報は、下りリンクのチャネル品質情報（ＣＱＩ）を含んでおり、マッピング部４１５に入力され、無線基地局装置２０への送信データの一部としてマッピングされる。既存のＰＤＣＣＨの場合、共通サーチスペースとしてシグナリングされた複数のＣＣＥ候補について、ブラインドデコーディング処理が行なわれる。また、拡張ＰＤＣＣＨの場合、共通サーチスペースとしてシグナリングされた複数のｅＣＣＥ候補について、ブラインドデコーディング処理が行なわれる。
【０１２７】
上り共有データチャネル用制御情報復調部４０５ｂは、下り制御チャネル（ＰＤＣＣＨ）及び拡張下り制御チャネル（拡張ＰＤＣＣＨ）のＵＥ固有サーチスペースのブラインドデコーディング処理、復調処理、チャネル復号処理などにより上り共有データチャネル用制御情報（固有制御情報）（例えば、UL  Grant）を取り出す。既存のＰＤＣＣＨの場合には、ＵＥ固有サーチスペースとしてシグナリングされた複数のＣＣＥ候補について、ブラインドデコーディング処理が行われる。また、拡張ＰＤＣＣＨの場合、ＵＥ固有サーチスペースとしてシグナリングされた複数のｅＣＣＥ候補について、ブラインドデコーディング処理が行われる。復調された上り共有データチャネル用制御情報は、マッピング部４１５に入力されて、上り共有データチャネル（ＰＵＳＣＨ）の制御に使用される。
【０１２８】
下り共有データチャネル用制御情報復調部４０５ｃは、下り制御チャネル（ＰＤＣＣＨ）及び拡張下り制御チャネル（拡張ＰＤＣＣＨ）のＵＥ固有サーチスペースのブラインドデコーディング処理、復調処理、チャネル復号処理などにより下り共有データチャネル用制御情報（固有制御情報）（例えば、DL  assignment）を取り出す。既存のＰＤＣＣＨの場合には、ＵＥ固有サーチスペースとしてシグナリングされた複数のＣＣＥ候補について、ブラインドデコーディング処理が行われる。また、拡張ＰＤＣＣＨの場合、ＵＥ固有サーチスペースとしてシグナリングされた複数のｅＣＣＥ候補について、ブラインドデコーディング処理が行われる。復調された下り共有データチャネル用制御情報は、下り共有データ復調部４０６ａへ入力されて、下り共有データチャネル（ＰＤＳＣＨ）の制御に使用され、下り共有データ復調部４０６ａに入力される。
【０１２９】
下り共有データ復調部４０６ａは、下り共有データチャネル用制御情報復調部４０５ｃから入力された下り共有データチャネル用制御情報に基づいて、ユーザデータや上位制御情報を取得する。上位制御情報に含まれる拡張ＰＤＣＣＨがマッピング可能なＰＲＢ位置（或いはＲＢＧ位置）は、下り共有データチャネル用制御情報復調部４０５ｃに出力される。下り共通チャネルデータ復調部４０６ｂは、上り共有データチャネル用制御情報復調部４０５ｂから入力された上り共有データチャネル用制御情報に基づいて、下り共通チャネルデータを復調する。
【０１３０】
チャネル推定部４０７は、ユーザ固有の参照信号（ＤＭ−ＲＳ）、またはセル固有の参照信号（ＣＲＳ）を用いてチャネル推定する。既存ＰＤＣＣＨを復調する場合には、セル固有の参照信号を用いてチャネル推定する。一方、拡張ＰＤＣＣＨ及びユーザデータを復調する場合には、ＤＭ−ＲＳやＣＲＳを用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用の参照信号を用いて復調処理を行う。
【０１３１】
また、拡張ＰＤＣＣＨにおいて同一ＰＲＢ（又は同一ＲＢＧ）内に異なるユーザの複数のｅＣＣＥが周波数分割多重等される場合、ＰＲＢ（又はＲＢＧ）内の周波数リソースの番号に括りつけられたＤＭ−ＲＳのアンテナポートを用いて制御情報が復調される。この場合、ユーザ毎（ｅＣＣＥ毎）に異なるＤＭ−ＲＳの送信ウェイトにより、同一ＰＲＢ（又は同一ＲＢＧ）内のＤＭ−ＲＳをユーザ毎に区別している。一方、送信ダイバーシチを適用する場合には、ＤＭ−ＲＳのアンテナポートを１ＰＲＢ（又は１ＲＢＧ）内に割当てられるユーザ端末で共通化して設定することができる。
【０１３２】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。
【０１３３】
ＤＦＴ部４１４は、変調された送信データを離散フーリエ変換する。マッピング部４１５は、ＤＦＴ後のデータシンボルの各周波数成分を、無線基地局装置２０に指示されたサブキャリア位置へマッピングする。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【０１３４】
以上のように、本実施の形態に係る無線基地局装置２０によれば、共通サーチスペースとＵＥ固有サーチスペースとを、所定の周波数領域単位（ＰＲＢ又はＲＢＧ）で分離してマッピングする。特に、無線基地局装置２０は、共通サーチスペースを、システム帯域内に分散されるように不連続の複数の周波数領域単位（ＲＢ又はＲＢＧ）にマッピングする。このため、周波数ダイバーシチ効果により、セル内の全ユーザ端末ＵＥが安定して共通制御情報を復号可能となる。また、無線基地局装置２０は、ＵＥ固有サーチスペースを、システム帯域帯域内に分散されるように不連続の複数の周波数領域単位に（ＰＲＢ又はＲＢＧ）にマッピングする。一方で、無線基地局装置２０は、ＵＥ固有サーチスペースを構成する複数の周波数領域単位のうち、特定のユーザ端末ＵＥの最も受信品質の良い周波数領域単位に、当該手奥鄭のユーザ端末ＵＥ用の固有制御情報を局所化してマッピングする。このため、特定のユーザ端末ＵＥはより受信品質の良い周波数領域単位（ＰＲＢ又はＲＢＧ）で固有制御情報を復号可能となる。また、受信品質が利用できない場合は、分散マッピングを適用してもよい。
【０１３５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３６】
１  無線通信システム
１０  ユーザ端末
２０  無線基地局装置
１０１  送受信アンテナ
１０３  送受信部（受信部）
１０４  ベースバンド信号処理部
２０１  送受信アンテナ
２０３  送受信部（送信部）
２０４  ベースバンド信号処理部
３００  制御情報生成部
３０１  データ生成部
３０５  マッピング部
３０６  下り制御情報生成部
３０７  下り共通チャネル用制御情報生成部
３１０  スケジューリング部
３１１  上り制御情報生成部
３１４  制御チャネル多重部
３１５  インタリーブ部
３１８  参照信号生成部
３１９  マッピング部
４０３  デマッピング部
４０４  デインタリーブ部
４０５  制御情報復調部（復号部）
４０５ａ  共通制御チャネル用制御情報復調部
４０５ｂ  上り共有データチャネル用制御情報復調部
４０５ｃ  下り共有データチャネル用制御情報復調部
４０６  データ復調部
４０６ａ  下り共有データ復調部
４０６ｂ  下り共通チャネルデータ復調部
４０７  チャネル推定部
【図１】
2013157822.tif 000003
【図２】
2013157822.tif 000004
【図３】
2013157822.tif 000005
【図４】
2013157822.tif 000006
【図５】
2013157822.tif 000007
【図６】
2013157822.tif 000008
【図７】
2013157822.tif 000009
【図８】
2013157822.tif 000010
【図９】
2013157822.tif 000011
【図１０】
2013157822.tif 000012
【図１１】
2013157822.tif 000013
【図１２】
2013157822.tif 000014
【図１３】
2013157822.tif 000015
【図１４】
2013157822.tif 000016
【図１５】
2013157822.tif 000017
【図１６】
2013157822.tif 000018
【図１７】
2013157822.tif 000019